(57)【要約】【課題】切削の際に針状の微細な切屑が生成されてエンドミル本体の外周面に回り込んでも、擦過による溶着を防ぐ。【解決手段】軸線Ｏを中心とした円柱状で軸線Ｏ回りにエンドミル回転方向Ｔに回転させられるエンドミル本体１であって、先端外周部に形成された切屑排出溝４のエンドミル回転方向Ｔを向く壁面に複数のインサート取付座５が軸線Ｏ方向に並んで形成され、インサート取付座５に取り付けられる切削インサート１０は周方向にずらされるとともに外周側の切刃１０ｂの軸線Ｏ回りの回転軌跡が部分的に重なり合って軸線Ｏ方向に連続し、エンドミル本体１の外周面には、軸線Ｏ方向に隣り合った切削インサート１０の切刃１０ｂ同士が重なり合う部分が最深部６ａとなる凹溝６が、インサート取付座５からエンドミル回転方向Ｔとは反対側に向けて延びるように形成される。【選択図】図５
2018130774.tif 000002
【特許請求の範囲】
【請求項１】
軸線を中心とした円柱状をなして上記軸線回りにエンドミル回転方向に回転させられ、先端外周部に形成されたインサート取付座に着脱可能に取り付けられる切削インサートの外周側に向けられる切刃によって切削加工を行う刃先交換式エンドミルのエンドミル本体であって、
このエンドミル本体の先端外周部には、該エンドミル本体の先端から後端側に延びる切屑排出溝が形成されるとともに、この切屑排出溝のエンドミル回転方向を向く壁面に複数の上記インサート取付座が上記軸線方向に並んで形成されていて、
これらのインサート取付座に取り付けられる上記切削インサートは周方向にずらされるとともに、外周側に向けられる上記切刃の上記軸線回りの回転軌跡が部分的に重なり合って上記軸線方向に連続し、
上記エンドミル本体の外周面には、上記インサート取付座からエンドミル回転方向とは反対側に向けて延びる凹溝が形成され、
この凹溝は、上記軸線回りの回転軌跡において、上記軸線方向に隣り合った上記切削インサートの外周側に向けられる上記切刃同士が重なり合う部分が最深部となるように形成されていることを特徴とする刃先交換式エンドミルのエンドミル本体。
【請求項２】
上記凹溝の上記最深部まで深さが０．０７ｍｍ以上であることを特徴とする請求項１に記載の刃先交換式エンドミルのエンドミル本体。
【請求項３】
上記凹溝は、上記軸線に沿った断面において、上記最深部となる上記軸線に平行に延びる溝底面と、この溝底面から上記軸線方向の両端側に向かうに従い互いに離れつつ外周側に延びる２つの溝壁面とを有する台形状に形成されていることを特徴とする請求項１または請求項２に記載の刃先交換式エンドミルのエンドミル本体。
【請求項４】
上記軸線に沿った断面において、上記凹溝の溝底面から後端側に延びる上記溝壁面が該溝底面の後端側への延長線に対してなす傾斜角は、上記凹溝の溝底面から先端側に延びる上記溝壁面が該溝底面の先端側への延長線に対してなす傾斜角よりも小さくされていることを特徴とする請求項３に記載の刃先交換式エンドミルのエンドミル本体。
【請求項５】
上記軸線に沿った断面において、上記凹溝の溝底面から後端側に延びる上記溝壁面が上記凹溝の溝底面の後端側への延長線に対してなす傾斜角が４５°以下とされていることを特徴とする請求項３または請求項４に記載の刃先交換式エンドミルのエンドミル本体。
【請求項６】
請求項１から請求項５のうちいずれか一項に記載の刃先交換式エンドミルのエンドミル本体における上記インサート取付座に、上記切削インサートが、外周側に向けられる上記切刃の上記軸線回りの回転軌跡が部分的に重なり合って上記軸線方向に連続するように着脱可能に取り付けられていることを特徴とする刃先交換式エンドミル。
【発明の詳細な説明】
【技術分野】
【０００１】
本発明は、先端外周部に形成されたインサート取付座に着脱可能に取り付けられる複数の切削インサートの外周側に向けられる切刃によって切削加工を行う円柱状の刃先交換式エンドミルのエンドミル本体、および該刃先交換式エンドミルのエンドミル本体の上記インサート取付座に切削インサートが着脱可能に取り付けられた刃先交換式エンドミルに関するものである。
【背景技術】
【０００２】
このようなエンドミル本体に複数の切削インサートが取り付けられた刃先交換式エンドミルとして、例えば特許文献１には、切削インサートのエンドミル本体基端側に隣接してエンドミル本体の軸線に交差する方向に切屑排出用の溝が形成され、この溝は、横断面が円弧状、Ｖ字形、Ｕ字形とされているものや、エンドミル本体の軸線方向に隣接する２つの切削インサートの間に溝が形成され、この溝は、横断面が円弧状、Ｖ字形、Ｕ字形とされているとともに、軸線に交差する方向に延在しているものが記載されている。
【０００３】
このような刃先交換式エンドミルでは、チップポケットを構成する軸線方向に延びる１つの凹溝（切屑排出溝）に、複数の切削インサートが軸線方向に間隔をあけて取り付けられている場合に、切削インサートの外周側に向けられた切刃によって生成された切屑が、軸線方向に隣接する切削インサートの間の隙間からエンドミル本体の外周面に入り込んでも、上記溝内を流れてスムーズに排出されて切屑詰まりを生じることがないので、被削材の加工面やエンドミル本体と干渉して擦過することもなく、切削インサートの欠損や切屑の溶着を招くこともない。
【先行技術文献】
【特許文献】
【０００４】
【特許文献１】特許第３２７５６９５号公報
【発明の概要】
【発明が解決しようとする課題】
【０００５】
ところで、この特許文献１には、隣接する切削インサートは必ずしも軸線方向に互いに隙間をもって配設される必要はなく、その回転軌跡が互いに重なるように配設されていてもよいとの記載がなされているが、チップポケットとしての１つの切屑排出溝において複数の切削インサートの外周側に向けられた切刃の回転軌跡が互いに重なっていれば、隣接する切削インサートの間に軸線方向に隙間があくことはなく、その隙間から切屑がエンドミル本体の外周面に入り込むこともない。ところが、それにも関わらず、実際に１つの切屑排出溝において切削インサートの切刃の回転軌跡が互いに重なっていても、切屑の一部はエンドミル本体の外周面に入り込んで擦過することにより溶着し、最終的にはエンドミル本体の破損を招くことがある。
【０００６】
ここで、刃先交換式エンドミルのエンドミル本体は円柱状であって、特に切り込み量を大きくする場合には切削インサートが取り付けられる先端部の切刃部も長くなるために剛性を確保し難く、切削時に振動やビビリが発生することにより、針状の微細な切屑が生成され易い。その一方で、１つの切屑排出溝において複数の切削インサートの切刃の回転軌跡を重なり合わせるには、これら複数の切削インサートをエンドミル本体の周方向にずらして取り付けなければならない。
【０００７】
従って、切刃の全長によって生成される幅広の大きな切屑は、切削インサートのすくい面を擦過して切屑排出溝から排出されるため、エンドミル本体の外周面に巻き込まれることはないが、上述のような針状の微細な切屑は、その一部が切屑排出溝の壁面や大きな切屑に弾かれながら周方向にずらされた切削インサートの間を通ってエンドミル本体の外周面に回り込むおそれがある。そして、このようにエンドミル本体の外周面に回り込んだ微細な切屑が、この外周面と擦過して上述のように溶着すると考えられる。
【０００８】
本発明は、このような背景の下になされたもので、切削の際に針状の微細な切屑が生成されてエンドミル本体の外周面に回り込んでも、擦過による溶着を防ぐことが可能な刃先交換式エンドミルのエンドミル本体、および該エンドミル本体に切削インサートを着脱可能に取り付けた刃先交換式エンドミルを提供することを目的としている。
【課題を解決するための手段】
【０００９】
上記課題を解決して、このような目的を達成するために、本発明の刃先交換式エンドミルのエンドミル本体は、軸線を中心とした円柱状をなして上記軸線回りにエンドミル回転方向に回転させられ、先端外周部に形成されたインサート取付座に着脱可能に取り付けられる切削インサートの外周側に向けられる切刃によって切削加工を行う刃先交換式エンドミルのエンドミル本体であって、このエンドミル本体の先端外周部には、該エンドミル本体の先端から後端側に延びる切屑排出溝が形成されるとともに、この切屑排出溝のエンドミル回転方向を向く壁面に複数の上記インサート取付座が上記軸線方向に並んで形成されていて、これらのインサート取付座に取り付けられる上記切削インサートは周方向にずらされるとともに、外周側に向けられる上記切刃の上記軸線回りの回転軌跡が部分的に重なり合って上記軸線方向に連続し、上記エンドミル本体の外周面には、上記インサート取付座からエンドミル回転方向とは反対側に向けて延びる凹溝が形成され、この凹溝は、上記軸線回りの回転軌跡において、上記軸線方向に隣り合った上記切削インサートの外周側に向けられる上記切刃同士が重なり合う部分が最深部となるように形成されていることを特徴とする。
【００１０】
また、本発明の刃先交換式エンドミルは、このようなエンドミル本体における上記インサート取付座に、上記切削インサートが、外周側に向けられる上記切刃の上記軸線回りの回転軌跡が部分的に重なり合って上記軸線方向に連続するように着脱可能に取り付けられていることを特徴とする。
【００１１】
このように構成される刃先交換式エンドミルのエンドミル本体および刃先交換式エンドミルでは、エンドミル本体の外周面に形成される凹溝が、軸線回りの回転軌跡において、軸線方向に隣り合った切削インサートの外周側に向けられる切刃同士が重なり合う部分が最深部となるように形成されているので、周方向にずらされた隣接する切削インサートの間を通ってエンドミル本体の外周面に回り込む針状の微細な切屑を、この凹溝の最深部に導いて効率的に排出することができる。従って、このような微細な切屑が擦過することによりエンドミル本体の外周面に溶着するのを確実に防ぐことができ、溶着によるエンドミル本体の破損を防止することができる。
【００１２】
ここで、隣接する切削インサートの間を通ってエンドミル本体の外周面に回り込む切屑は針状の微細なものであるので、上記凹溝の上記最深部まで深さは０．０７ｍｍ以上と、下限が極浅いものであればよい。逆に、この凹溝の最深部までの深さが大きすぎるとエンドミル本体の折損を招くおそれがあるので、凹溝の最深部までの深さの上限は工具径の５％程度とされるのが望ましい。
【００１３】
また、上記凹溝は、上記軸線に沿った断面において、上記最深部となる上記軸線に平行に延びる溝底面と、この溝底面から上記軸線方向の両端側に向かうに従い互いに離れつつ外周側に延びる２つの溝壁面とを有する台形状に形成されていることが望ましい。この凹溝の断面が特許文献１に記載されたような円弧状であると、この円弧の両端部において加工面との間隔が急に狭くなって針状の微細な切屑が噛み込まれ易くなり、やはり溶着を招くおそれがあるのに対して、凹溝が断面台形状であれば、両端部における加工面との間隔は一定の割合で小さくなるだけであるので、噛み込みを生じ難い。
【００１４】
また、同じく特許文献１に記載されたように断面がＶ字形やＵ字形の溝では、断面台形の凹溝に比べて同じ断面積を確保するには溝深さを深くしなければならなくなるおそれがあってエンドミル本体の剛性を一層損なうことになり、しかもＶ字形の断面では最深部を起点にエンドミル本体の折損が生じ易くなる。これに対しても、断面台形状の凹溝であれば、溝深さを深くしなくても断面積を確保することができ、また溝底面と２つの溝壁面とは鈍角に交差するので、その交差稜線部からエンドミル本体に折損が生じるおそれも少ない。
【００１５】
さらに、上述のように切り込み量を大きくする場合には、切削インサートとして長辺と短辺を有する平行四辺形や長方形等の四角形板状のものが用いられ、そのすくい面とされる一方の四角形面の長辺に形成された切刃が外周側に向けられるとともに、このすくい面とは反対側の他方の四角形面が着座面とされてインサート取付座のエンドミル回転方向を向く取付座底面に密着させられ、この取付座底面に、凹溝の溝底面から後端側に延びる上記溝壁面が交差することになる。
【００１６】
そこで、このような切削インサートにおけるインサート取付座への着座安定性を確保するには、上記軸線に沿った断面において、上記凹溝の溝底面から後端側に延びる上記溝壁面が該溝底面の後端側への延長線に対してなす傾斜角を、上記凹溝の溝底面から先端側に延びる上記溝壁面が該溝底面の先端側への延長線に対してなす傾斜角よりも小さくして、インサート取付座の取付座底面と凹溝の後端側に延びる溝壁面との交差稜線が、切削インサートの他方の長方形面の外周側に向けられる長辺に沿うようにするのが望ましい。
【００１７】
なお、この場合には、上記軸線に沿った断面において、上記凹溝の溝底面から後端側に延びる上記溝壁面が上記溝底面の後端側への延長線に対してなす傾斜角を４５°以下とすることにより、この後端側に延びる溝壁面と溝底面との交差角をより大きくして、その交差稜線部への切削抵抗による応力集中を抑制し、この交差稜線部を起点とするエンドミル本体の折損等を一層確実に防止することができる。
【発明の効果】
【００１８】
以上説明したように、本発明によれば、エンドミル本体の振動やビビリによって針金状の微細な切屑が生成されて周方向にずらされた切削インサートの間からエンドミル本体の外周面に回り込んでも、軸線回りの回転軌跡において切刃が重なり合う部分に最深部を有する凹溝によって効率的に排出することができ、このような切屑が擦過してエンドミル本体の外周面に溶着することにより破損を生じるのを防止することができる。
【図面の簡単な説明】
【００１９】
【図１】本発明の刃先交換式エンドミルのエンドミル本体の一実施形態を示す斜視図である。
【図２】図１に示す実施形態の正面図である。
【図３】図１に示す実施形態の側面図である。
【図４】図１に示す実施形態の平面図である。
【図５】図１に示すエンドミル本体に切削インサートを取り付けた本発明の刃先交換式エンドミルの一実施形態を示す斜視図である。
【図６】図５に示す実施形態の正面図である。
【図７】図５に示す実施形態の側面図である。
【図８】図５に示す実施形態の平面図である。
【図９】図５ないし図８に示す実施形態における凹溝と切削インサートのすくい面の軸線回りの回転軌跡を示す図である。
【図１０】図５ないし図８に示す実施形態における凹溝と切削インサートの着座面の軸線回りの回転軌跡を示す図である。
【発明を実施するための形態】
【００２０】
図１ないし図４は、本発明の刃先交換式エンドミルのエンドミル本体の一実施形態を示すものであり、図５ないし図１０は、この実施形態のエンドミル本体に切削インサートを取り付けた本発明の刃先交換式エンドミルの一実施形態を示すものである。本実施形態のエンドミル本体１は、鋼材等の金属材料により形成されて、先端部（図３および図４、図７および図８において左側部分）が後端部（図３および図４、図７および図８において右側部分）よりも僅かに小径とされた軸線Ｏを中心とする多段円柱状をなしている。
【００２１】
このエンドミル本体１の上記先端部は、上記切削インサートが取り付けられる切刃部２とされるとともに、上記後端部はシャンク部３とされる。こうしてエンドミル本体１の切刃部２に切削インサートが取り付けられて構成された本実施形態の刃先交換式エンドミルは、シャンク部３が工作機械の主軸に把持されて軸線Ｏ回りにエンドミル回転方向Ｔに回転されつつ、この軸線Ｏに交差する方向に送り出されて、被削材に溝加工や肩削り加工を施す。
【００２２】
切刃部２の外周部には、エンドミル本体１の先端に開口して後端側に延びる切屑排出溝４が、後端側に向かうに従いエンドミル回転方向Ｔとは反対側に捩れるように、周方向に間隔をあけて複数条形成されており、本実施形態では２条の切屑排出溝４が周方向に等間隔に形成されている。そして、これらの切屑排出溝４のエンドミル回転方向Ｔを向く壁面には複数のインサート取付座５が形成されていて、本実施形態では各切屑排出溝４ごとに４つのインサート取付座５が、切屑排出溝４の捩れに合わせて後端側に向かうに従いエンドミル回転方向Ｔとは反対側に向けて周方向にずらされるようにして階段状に並んで形成されている。
【００２３】
これらのインサート取付座５は、エンドミル回転方向Ｔを向く長方形状の取付座底面５ａと、この取付座底面５ａの内周縁からエンドミル回転方向Ｔに延びてエンドミル本体１の外周側を向く取付座壁面５ｂと、最先端のインサート取付座５を除いて、取付座底面５ａの先端縁からエンドミル回転方向Ｔに延びて後端側を向く取付座壁面５ｃとを備えている。取付座底面５ａは後端側に向かうに従いエンドミル回転方向Ｔとは反対側に向かうように僅かに傾斜しており、この取付座底面５ａの中央部にはネジ孔５ｄが垂直に形成されている。
【００２４】
このようなインサート取付座５に取り付けられる切削インサート１０は、超硬合金等の硬質材料により、本実施形態では上述のように長辺と短辺を有する平行四辺形または長方形の四角形板状に形成されている。このような切削インサート１０は、一方の四角形面がエンドミル回転方向Ｔに向けられるすくい面１０ａとされて、その２つの長辺に主切刃１０ｂが形成されるとともに、２つの短辺には、主切刃１０ｂがエンドミル本体１の外周側に向けられたときに、この主切刃１０ｂのエンドミル本体１先端側に向けられるコーナ刃１０ｃに連なるように副切刃１０ｄが形成されている。なお、主切刃１０ｂは、上記コーナ刃１０ｃから離れるに従い着座面１０ｅとされる他方の四角形面に向けて延びるように傾斜している。
【００２５】
また、すくい面１０ａの中央部から上記着座面１０ｅの中央部にかけては、切削インサート１０を貫通する貫通孔が形成されており、着座面１０ｅは、この貫通孔の中心線に垂直な平面状とされている。さらに、すくい面１０ａと着座面１０ｅに交差する切削インサート１０の４つの側面は逃げ面とされ、本実施形態の切削インサート１０は、この逃げ面がすくい面から離れるに従い内方に後退するように傾斜したポジティブタイプの切削インサートとされている。ここで、この逃げ面とされる側面には捩れが与えられていて、これにより着座面１０ｅがなす四角形は、図９および図１０に示すようにすくい面１０ａに対向する方向から見た透視図において、その長辺が上記コーナ刃１０ｃ側から離れるに従い該主切刃１０ｂに近づくように傾斜している。
【００２６】
このような切削インサート１０は、すくい面１０ａをエンドミル回転方向Ｔに向けて上記着座面１０ｅを取付座底面５ａに密着させるとともに、４つの側面のうちエンドミル本体１の内周側に向けられる側面を取付座壁面５ｂに当接させ、また最先端のインサート取付座５に取り付けられる切削インサート１０を除いてエンドミル本体１の先端側に向けられる側面を取付座壁面５ｃに当接させ、１つの主切刃１０ｂをエンドミル本体１の切刃部２の外周側に向けて突出させてインサート取付座５に着座させられ、上記貫通孔に挿通されたクランプネジ１１をネジ孔５ｄにねじ込むことによって着脱可能にエンドミル本体１に取り付けられる。
【００２７】
このようにして１つの切屑排出溝４に形成された複数のインサート取付座５に取り付けられた切削インサート１０は、互いに干渉しないようにインサート取付座５と同じく後端側に向かうに従いエンドミル回転方向Ｔとは反対側に向けて周方向にずらされることになる。このとき、これらの切削インサート１０では、その外周側に向けられた主切刃１０ｂが、図９に示されるように軸線Ｏ方向に隣接する切削インサート１０同士で、軸線Ｏ回りの回転軌跡において先端部と後端部とで部分的に重なり合って軸線Ｏを中心とする概略円筒面状をなすように配置される。
【００２８】
そして、このように軸線Ｏ方向に隣接する切削インサート１０同士で部分的に重なり合った主切刃１０ｂに対し、上記エンドミル本体１の切刃部２の外周面には、インサート取付座５からエンドミル回転方向Ｔとは反対側に向けて延びる凹溝６が形成されており、この凹溝６は、軸線Ｏ回りの回転軌跡において図９に示すように、軸線Ｏ方向に隣り合った切削インサート１０の外周側に向けられる主切刃１０ｂ同士が重なり合う部分が最深部となるように形成されている。ここで、この凹溝６の上記最深部まで深さＡは、本実施形態では０．０７ｍｍ以上とされている。
【００２９】
また、この凹溝６は、軸線Ｏに沿った断面において、上記最深部となる軸線Ｏに平行に延びる溝底面６ａと、この溝底面６ａから軸線Ｏ方向の両端側に向かうに従い互いに離れつつ外周側に延びる２つの溝壁面６ｂ、６ｃとを有する台形状に形成されている。このうち、軸線Ｏに沿った断面において、凹溝６の溝底面６ａから後端側に延びる溝壁面６ｂが溝底面６ａの後端側への延長線Ｌ１に対してなす傾斜角θ１は、凹溝６の溝底面６ａから先端側に延びる溝壁面６ｃが溝底面６ａの先端側への延長線Ｌ２に対してなす傾斜角θ２よりも小さくされており、この傾斜角θ１は４５°以下とされている。
【００３０】
なお、この傾斜角θ１は、本実施形態では上述したすくい面１０ａに対向する方向から見た透視図において着座面１０ｅの外周側に向けられる長辺がコーナ刃１０ｃ側から離れるに従い主切刃１０ｂに近づくように傾斜したときの傾斜角と略等しく設定されており、従ってインサート取付座５の取付座底面５ａと凹溝６の溝壁面６ｂとの交差稜線部は、図１０に示すように着座面１０ｅの外周側に向けられる長辺に対して略平行に、僅かにエンドミル本体１の内周側に位置するように配置される。
【００３１】
また、本実施形態では、複数のインサート取付座５からエンドミル回転方向Ｔとは反対側に延びる複数の凹溝６は軸線Ｏ方向に連続しており、すなわち先端側の凹溝６の溝壁面６ｂと、その後端側に隣接する凹溝６の溝壁面６ｃとは交差している。さらに、１つの切屑排出溝４のエンドミル回転方向Ｔを向く壁面に形成されたインサート取付座５からエンドミル回転方向Ｔとは反対側に向けて延びる凹溝６は、本実施形態では一定の上記深さＡおよび断面形状で、この１つの切屑排出溝４のエンドミル回転方向Ｔとは反対側に隣接した切屑排出溝４に連通している。
【００３２】
このように構成されたエンドミル本体１および該エンドミル本体１に切削インサート１０を取り付けた刃先交換式エンドミルでは、上述のようにエンドミル本体１の切刃部２外周面に形成される凹溝６が、軸線Ｏ回りの回転軌跡において、軸線Ｏ方向に隣り合った切削インサート１０の外周側に向けられる主切刃１０ｂ同士が重なり合う部分が最深部となるように形成されており、エンドミル本体の振動やビビリによって針状の微細な切屑が生成された場合に、これが周方向にずらされた隣接する切削インサート１０の間を通ってエンドミル本体１の外周面に回り込んでも、この凹溝６の最深部に導いて効率的に排出することが可能となる。
【００３３】
従って、上記構成のエンドミル本体１および刃先交換式エンドミルのエンドミルによれば、このような針状の微細な切屑が擦過することによってエンドミル本体１の切刃部２外周面に溶着するのを確実に防ぐことができ、溶着によるエンドミル本体１の破損を防止することが可能となる。なお、本実施形態では、凹溝６がエンドミル回転方向Ｔとは反対側に隣接した切屑排出溝４に連通しているので、この隣接した切屑排出溝４に微細な切屑を排出することができるが、例えば凹溝６の深さＡをエンドミル回転方向Ｔとは反対側に向かうに従い漸次浅くして、肩削り加工の際などに凹溝６が露出したときに排出されるようにしてもよい。
【００３４】
また、凹溝６の最深部である溝底面６ａまでの深さ（本実施形態では、先端側の凹溝６の溝壁面６ｂと、その後端側に隣接する凹溝６の溝壁面６ｃとの交差稜線からの深さ）Ａは、排出される切屑が針状の微細なものであるので、下限は極浅く上述のように０．０７ｍｍ以上であればよい。一方、この凹溝６の深さＡが深くなりすぎるとエンドミル本体１の剛性不足が助長されて折損を招くおそれがあるので、凹溝６の最深部である溝底面６ａまでの深さの上限は工具径（切削インサート１０の外周側に向けられる主切刃１０ｂの回転軌跡がなす上記円筒面の直径）の５％程度とされるのが望ましい。
【００３５】
なお、本実施形態では、上述のように複数の凹溝６が軸線Ｏ方向に隣接しており、このときの凹溝６の深さＡは、隣接する凹溝６の溝壁面６ｂ、６ｃ同士の交差稜線から最深部である溝底面６ａまでの深さとなる。また、このように凹溝６が連続せず、間にエンドミル本体１の切刃部２の円筒面状の外周面が残されている場合は、この外周面から最深部である溝底面６ａまでの深さが凹溝６の深さＡとなる。
【００３６】
さらに、凹溝６の断面形状は、特許文献１に記載されたような円弧状やＶ字形、Ｕ字形であってもよいが、凹溝６の断面が円弧状の場合に上述のように深さＡを浅くすると、この円弧の両端部において加工面との間隔が急に狭くなって針状の微細な切屑が噛み込まれ易くなり、やはり溶着を招くおそれがある。また、凹溝６の断面がＶ字形やＵ字形では、断面台形の凹溝６に比べて同じ断面積を確保するためには溝深さを深くしなければならなくなるおそれがあってエンドミル本体１の剛性を一層損なうことになる。さらに、Ｖ字形断面の凹溝では最深部を起点にエンドミル本体１の切刃部２に折損が生じ易くなる。
【００３７】
これに対して、本実施形態では、凹溝６は、軸線Ｏに沿った断面において、最深部となる軸線Ｏに平行に延びる溝底面６ａと、この溝底面６ａから軸線Ｏ方向の両端側に向かうに従い互いに離れつつ外周側に延びる２つの溝壁面６ｂ、６ｃとを有する台形状に形成されているので、その軸線Ｏ方向の両端部における加工面との間隔は一定の割合で小さくなるだけであり、微細な切屑の噛み込みを生じ難い。また、断面がＶ字形やＵ字形の凹溝と比べて深さＡを浅くしても断面積を確保し易く、さらに溝底面６ａと２つの溝壁面６ｂ、６ｃとは鈍角に交差するので、その交差稜線部からエンドミル本体１に折損が生じるおそれもない。なお、溝底面６ａは、凹溝６の深さＡが深くなりすぎなければ、溝壁面６ｂ、６ｃに連なる断面凹曲線状であってもよい。
【００３８】
さらに、本実施形態では、上記切削インサート１０として長辺と短辺を有する平行四辺形または長方形の四角形板状のものが用いられ、その一方の四角形面がすくい面１０ａとしてエンドミル回転方向Ｔに向けられ、このすくい面１０ａの２つの長辺のうちの１つがエンドミル本体１の外周側に向けられて切削に使用される。このため、切り込み量を大きくする場合でも、少ない数の切削インサート１０によって対応が可能である。
【００３９】
ここで、切削インサート１０の他方の四角形面は、インサート取付座５のエンドミル回転方向Ｔを向く取付座底面５ａに密着する着座面１０ｅとなるが、このとき例えば凹溝６の断面形状が、溝底面６ａの長さが長くて溝壁面６ｂの上記傾斜角θ１が溝壁面６ｃの傾斜角θ２と等しい等脚台形であると、この着座面１０ｅのエンドミル本体１外周側に向けられる長辺と、インサート取付座５の取付座底面５ａと凹溝６との間隔（溝底面６ａとの間隔）が大きくなって、切削インサート１０を支持する部分が小さくなり、切削インサート１０の取付安定性が損なわれるおそれがある。
【００４０】
これに対して、本実施形態では、軸線Ｏに沿った断面において、凹溝６の溝底面６ａから後端側に延びる溝壁面６ｂが溝底面６ａの後端側への延長線Ｌ１に対してなす傾斜角θ１が、凹溝６の溝底面６ａから先端側に延びる溝壁面６ｃが溝底面６ａの先端側への延長線Ｌ２に対してなす傾斜角θ２よりも小さくされている。そして、これにより、インサート取付座５の取付座底面５ａと凹溝６の後端側に延びる溝壁面６ｂとの交差稜線は、切削インサート１０の着座面１０ｅの外周側に向けられる長辺に沿う方向に延びるように形成されるので、上述のような等脚台形の断面と比べて切削インサート１０を支持する部分を大きくして取付安定性を確保することができる。
【００４１】
特に、本実施形態では、図９および図１０に示したように切削インサート１０をすくい面１０ａに対向する方向から見た透視図において、着座面１０ｅの外周側に向けられる長辺がコーナ刃１０ｃ側から離れるに従い主切刃１０ｂに近づくように傾斜しており、上記傾斜角θ１は、この透視図における主切刃１０ｂに対する着座面１０ｅの外周側に向けられる長辺の傾斜角と略等しく設定されている。このため、インサート取付座５の取付座底面５ａと凹溝６の溝壁面６ｂとの交差稜線部は、図１０に示したように着座面１０ｅの外周側に向けられる長辺に略平行に延びることになるので、これらの長辺と交差稜線部の間隔を小さな一定間隔として、切削インサート１０の取付安定性を一層向上させることができる。
【００４２】
さらに、本実施形態では、上記傾斜角θ１が４５°以下とされていて、軸線Ｏに沿った断面における凹溝６の溝底面６ａと溝壁面６ｂとの交差角は１３５°以上の鈍角となる。このため、これら凹溝６の溝底面６ａと溝壁面６ｂとの交差稜線部に切削抵抗による応力が集中するのを防ぐことができ、この交差稜線部を起点としてエンドミル本体１の切刃部２に折損が生じるのも確実に防止することができる。なお、傾斜角θ２についても４５°以下とされるのが望ましい。
【符号の説明】
【００４３】
１  エンドミル本体
２  切刃部
３  シャンク部
４  切屑排出溝
５  インサート取付座
５ａ  取付座底面
５ｂ、５ｃ  取付座壁面
６  凹溝
６ａ  溝底面
６ｂ、６ｃ  溝壁面
１０  切削インサート
１０ａ  すくい面
１０ｂ  主切刃（エンドミル本体１の外周側に向けられる切刃）
１０ｅ  着座面
Ｏ  エンドミル本体１の軸線
Ｔ  エンドミル回転方向
Ａ  凹溝６の深さ
θ１  軸線Ｏに沿った断面において、凹溝６の溝底面６ａから後端側に延びる溝壁面６ｂが溝底面６ａの後端側への延長線Ｌ１に対してなす傾斜角
θ２  軸線Ｏに沿った断面において、凹溝６の溝底面６ａから先端側に延びる溝壁面６ｃが溝底面６ａの先端側への延長線Ｌ２に対してなす傾斜角
【図１】
2018130774.tif 000003
【図２】
2018130774.tif 000004
【図３】
2018130774.tif 000005
【図４】
2018130774.tif 000006
【図５】
2018130774.tif 000007
【図６】
2018130774.tif 000008
【図７】
2018130774.tif 000009
【図８】
2018130774.tif 000010
【図９】
2018130774.tif 000011
【図１０】
2018130774.tif 000012